(57)【要約】      （修正有）【課題】スーパーマーケット等の量販店における買物に際し、レジかご内に装着することにより、商品の買い上げと同時に商品をバッグに収容することができる買物用バッグを提供する。【解決手段】底壁１から立設された正面壁２及び背面壁３と両側壁４を備え、正面壁と背面壁を近接自在かつ離反自在とする谷折り方向の襠部１ａ、４ａを底壁１と両側壁４に形成した上部開口状のバッグであり、正面壁と背面壁を近接させた扁平な折畳み形態と、正面壁と背面壁を離反させた直方体の展開形態Ｂ２を選択自在とするように構成され、折畳み形態を保持する折畳み連結手段６と、展開形態Ｂ２を保持する展開連結手段が設けられており、展開形態Ｂ２としたバッグの開口縁から袖筒１３を拡開させることにより、フランジが形成されるように構成している。【選択図】図３
0003224046.tif 000002
【実用新案登録請求の範囲】
【請求項１】
一対の長辺と一対の短辺を有する長方形の底壁(1)と、前記一対の長辺から立設された正面壁(2)及び背面壁(3)と、前記一対の短辺から立設された両側壁(4,4)を備え、正面壁と背面壁を近接自在かつ離反自在とする谷折り方向の襠部(1a)(4a)を底壁(1)と両側壁(4,4)に形成したバッグであり、
バッグは、前記襠部(1a)(4a)を介して、正面壁と背面壁を近接させたとき上部の開口部を閉鎖した扁平な折畳み形態(B1)とされ、正面壁と背面壁を離反させたとき上部の開口部を開放した直方体の展開形態(B2)とされるように構成され、前記開口部(5)の開口縁に沿って周設された拡縮自在な柔軟な環状の袖筒(13)を設けており、
前記袖筒(13)は、前記開口縁に沿って折曲することにより開口部の内部に収納自在かつ開口部の外部に向けて延出自在に構成され、拡開されたとき開口部の周囲に向けてフランジ(13a)を形成するように構成されており、
前記正面壁と背面壁には、バッグを折畳み形態とした状態で閉鎖された開口部を横断して相互に連結する折畳み連結手段(6)と、バッグを展開形態とした状態で開放された開口部を横断して相互に連結する展開連結手段(15)が設けられて成ることを特徴とする買物用バッグ。
【請求項２】
バッグを折畳み形態(B1)とした状態で、両側壁の谷折りされた襠部(4a)を伸長不能に係止することにより谷折り状態を保持する係脱自在な係止保持手段(7)を設けて成ることを特徴とする請求項１に記載の買物用バッグ。
【請求項３】
前記展開連結手段(15)は、正面壁と背面壁の一方から開口部を横断して延びるフラップ(15a)及び該フラップの先端に設けた係止手段(15b)と、他方から延設された伸縮調整自在なバンド(15c)及び該バンドに設けた被係止手段(15d)により構成され、前記係止手段と被係止手段を相互に係脱自在に構成して成ることを特徴とする請求項１又は２に記載の買物用バッグ。
【請求項４】
ユーザがバッグを背負うことができる肩ベルト(16)を正面壁と背面壁の一方に設けて成ることを特徴とする請求項１、２又は３に記載の買物用バッグ。
【考案の詳細な説明】
【技術分野】
【０００１】
本考案は、買物用バッグに関し、特に、スーパーマーケット等の量販店における買物に際し、レジかご内に装着することにより、商品の買い上げと同時に商品をバッグに収容することができる買物用バッグに関する。
【背景技術】
【０００２】
従来、このようなレジかご内に装着することができる買物用バッグ（以下、「レジかご適用型の買物用バッグ」という。）は、下記の特許文献に記載されたものが提案されている。
【先行技術文献】
【特許文献】
【０００３】
【特許文献１】特許第６４８２５１５号公報
【特許文献２】特許第３８５８０１４号公報
【特許文献３】特許第３５４７７０５号公報
【特許文献４】特許第３５３３３６８号公報
【考案の概要】
【考案が解決しようとする課題】
【０００４】
レジかご適用型の買物用バッグは、レジかご内に装着した状態で、バッグの開口部がレジかごの開口部に沿うように大きく開口するように構成されているため、全体が直方体とされており、嵩張った形態とされている。
【０００５】
このため、買物に出かけるときにも、バッグが大きく嵩張り、携帯に不便であり、使い勝手が良くない。
【０００６】
この問題は、バッグを折畳み自在に構成すれば解決するが、全体が直方体に展開された状態のバッグを可及的コンパクトに折畳み可能とするためには、解決すべき多くの課題がある。
【０００７】
本考案は、このような課題を解決したレジかご適用型の買物用バッグの提供を目的としている。
【課題を解決するための手段】
【０００８】
そこで、本考案が手段として構成したところは、一対の長辺と一対の短辺を有する長方形の底壁と、前記一対の長辺から立設された正面壁及び背面壁と、前記一対の短辺から立設された両側壁を備え、正面壁と背面壁を近接自在かつ離反自在とする谷折り方向の襠部を底壁と両側壁に形成したバッグであり、バッグは、前記襠部を介して、正面壁と背面壁を近接させたとき上部の開口部を閉鎖した扁平な折畳み形態とされ、正面壁と背面壁を離反させたとき上部の開口部を開放した直方体の展開形態とされるように構成され、前記開口部の開口縁に沿って周設された拡縮自在な柔軟な環状の袖筒を設けており、前記袖筒は、前記開口縁に沿って折曲することにより開口部の内部に収納自在かつ開口部の外部に向けて延出自在に構成され、拡開されたとき開口部の周囲に向けてフランジを形成するように構成されており、前記正面壁と背面壁には、バッグを折畳み形態とした状態で閉鎖された開口部を横断して相互に連結する折畳み連結手段と、バッグを展開形態とした状態で開放された開口部を横断して相互に連結する展開連結手段が設けられて成る点にある。
【０００９】
本考案の好ましい実施形態は、バッグを折畳み形態とした状態で、両側壁の谷折りされた襠部を伸長不能に係止することにより谷折り状態を保持する係脱自在な係止保持手段を設けている。
【００１０】
好ましくは、前記展開連結手段は、正面壁と背面壁の一方から開口部を横断して延びるフラップ及び該フラップの先端に設けた係止手段と、他方から延設された伸縮調整自在なバンド及び該バンドに設けた被係止手段により構成され、前記係止手段と被係止手段を相互に係脱自在に構成している。
【００１１】
バッグは、ユーザがバッグを背負うことができる肩ベルトを正面壁と背面壁の一方に設けていることが好ましい。
【考案の効果】
【００１２】
本考案によれば、ユーザが買物に出かけるときは、折畳み形態としたバッグＢ１を折畳み連結手段６により扁平状態に保持させることができるので、コンパクトに持ち運び携帯することができる。そして、買物に際しては、展開形態としたバッグＢ２をレジかごＲに装入した状態で、袖筒１７を拡開させることによりフランジ１７ａを形成することができるので、商品を簡単容易にバッグに詰め込むことができる。更に、買物が終了したときは、展開形態としたバッグＢ２を展開連結手段１５により型崩れを防止した状態で背負うことができるので、重いバッグを容易に持ち運ぶことができる。
【図面の簡単な説明】
【００１３】
【図１】本考案の１実施形態に係る買物用バッグに関して、折畳み形態としたバッグを正面側から示す斜視図である。
【図２】折畳み形態としたバッグを背面側から示す斜視図である。
【図３】展開形態としたバッグを示す斜視図である。
【図４】展開形態としたバッグをレジかごに装着した状態を示す斜視図である。
【図５】展開状態としたバッグに買物商品を詰め込むと共に、袖筒を収縮させた状態を示す斜視図である。
【図６】展開状態としたバッグにおいて展開連結手段を連結した状態を示す斜視図である。
【考案を実施するための形態】
【００１４】
以下図面に基づいて本考案の好ましい実施形態を詳述する。
【００１５】
バッグは、一対の長辺と一対の短辺を有する長方形の底壁１と、前記一対の長辺から立設された正面壁２及び背面壁３と、前記一対の短辺から立設された両側壁４、４備えており、正面壁２と背面壁３を近接自在かつ離反自在とする谷折り方向の襠部１ａ、４ａをそれぞれ底壁１と両側壁４、４に形成している。
【００１６】
そこで、バッグは、襠部１ａ、４ａを谷折りすることにより、図１及び図２に示すように、正面壁２と背面壁３を近接させたときは、上部の開口部５を閉鎖した扁平な折畳み形態のバッグＢ１とされ、襠部１ａ、４ａを谷折り状態から伸長することにより、図３ないし図６に示すように、正面壁２と背面壁３を離反させたときは、上部の開口部５を開放した直方体の展開形態のバッグＢ２とされるように構成されている。
【００１７】
（折畳み形態のバッグと関連構成）
ユーザが買物に出かけるときは、図１及び図２に示すようなコンパクトとされた扁平な折畳み形態のバッグＢ１を簡便に持ち運び携帯することができる。
【００１８】
この際、正面壁２と背面壁３の上縁部には、バッグを折畳み形態とした状態で閉鎖された開口部５を横断して相互に連結する折畳み連結手段６が設けられている。図示実施形態の場合、折畳み連結手段６は、正面壁２と背面壁３のそれぞれの上縁部から延設された布製の帯状片６ａ、６ｂと、両帯状片６ａ、６ｂの対向縁を着脱自在に固着するスライドジッパー式のファスナ６ｃにより構成されている。
【００１９】
図示実施形態は、更に、襠部１ａ、４ａが復元することを防止し、バッグを扁平な折畳み形態に保持させるため、両側壁４、４の谷折りされた襠部４ａを伸長不能に係止することにより谷折り状態を保持する係脱自在な係止保持手段７を設けている。係止保持手段７は、背面壁３又は背面壁に隣接する側壁４の部位から延びる係止バンド７ａと、該係止バンド７ａの先端部を正面壁２に係脱自在に係着する面ファスナ８ａ、８ｂにより構成することが好ましい。
【００２０】
折畳み形態としたバッグＢ１の持ち運びを便利とするため、正面壁２と背面壁３には提げ手９、９が設けられている。
【００２１】
更に、折畳み形態としたバッグＢ１にも物品収容機能を持たせるのが好ましく、このため、正面壁２には、スライドジッパー式のファスナにより開閉自在とされたポケット１０や、更に、その外側に配置された常時開口するポケット１１が設けられており、背面壁３にも、ポケット１２が設けられている。
【００２２】
（展開形態のバッグと関連構成）
買物に際して、また、買物の後は、図３ないし図６に示すような展開状態のバッグＢ２として使用される。
【００２３】
前述の折畳み連結手段６を分離させ、係止保持手段７の係止を解くと、バッグは、襠部１ａ、４ａを谷折り状態から伸長させると共に、正面壁２と背面壁３を相互に離反させることにより、上部の開口部５を開放した直方体の展開形態のバッグＢ２とされる。
【００２４】
図３に示すように、正面壁２及び背面壁３と両側壁４、４の上縁により形成される開億部５の開口縁に沿って、拡縮自在な柔軟な布製の環状の袖筒１３が設けられている。袖筒１３は、開口部５の開口縁に沿って折曲自在とされ、バッグを折畳み形態としたときには、開口部５の内部に収納されているが、バッグを展開状態としたとき、引き上げることにより開口部５の外部に向けて延出させられる。
【００２５】
袖筒１３の周縁部には袋状の通路が形成されており、該通路に絞り紐１４を挿通することにより、巾着式として、袖筒１３を拡縮自在とするように構成している。そこで、図４に示すように、展開形態としたバッグＢ２は、レジかごＲの内側に装入した状態で、袖筒１３を拡開させると、前記開口部５の周囲に向けて広がるフランジ１３ａが形成されるので、該フランジ１３ａをガイドとして、買い上げた商品をバッグに投入する作業が容易となる。
【００２６】
そして、商品をバッグに詰め込み、買物が終了したときは、図５に示すように、絞り紐１４を介して袖筒１３を収縮させることにより、商品がバッグから飛び出すことを防止することができる。
【００２７】
このように展開形態としたバッグＢ２には、図６に示すように、開放された開口部を横断して相互に連結する展開連結手段１５が設けられている。前記展開連結手段１５は、正面壁２と背面壁３の一方から（図例の場合、背面壁３から）開口部を横断して延びるフラップ１５ａ及び該フラップの先端に設けた係止手段１５ｂと、他方から（図例の場合、正面壁２から）延設された伸縮調整自在なバンド１５ｃ及び該バンドに設けた被係止手段１５ｄにより構成され、前記係止手段１５ｂと被係止手段１５ｄをワンタッチ式で相互に係脱自在に係止する。
【００２８】
これにより、バッグの内部に多くの商品を詰め込んだときでも、バッグは、ほぼ直方体とされた形態から型崩れすることなく保形され、持ち運びを容易とする。
【００２９】
この際、図示のように、正面壁２と背面壁３が相互に大きく離反し、一対の提げ手９、９を同時に把持することが困難となるため、正面壁２と背面壁３の一方には（図例の場合、背面壁３には）図２に示すような肩ベルト１６が設けられている。図示実施形態の場合、背面壁３の上縁部の近傍から延設された一対の幅広ベルト１６ａ、１６ａと、該幅広ベルト１６ａ、１６ａの先端をそれぞれ背面壁３の下縁部の両端近傍に連結する伸縮調節自在な延長ベルト１６ｂ、１６ｂにより構成されている。
【００３０】
これにより、ユーザは、バッグを背負うことができるので、大量の商品を持ち帰ることが容易となる。
【符号の説明】
【００３１】
Ｂ１  折畳み形態のバッグ
Ｂ２  展開形態のバッグ
Ｒ  レジかご
１  底壁
１ａ  襠部
２  正面壁
３  背面壁
４  側壁
４ａ  襠部
５  開口部
６  折畳み連結手段
６ａ、６ｂ  帯状片
６ｃ  ファスナ
７  係止保持手段
７ａ  係止バンド
８ａ、８ｂ  面ファスナ
９  提げ手
１０、１１、１２  ポケット
１３  袖筒
１３ａ  フランジ
１４  絞り紐
１５  展開連結手段
１５ａ  フラップ
１５ｂ  係止手段
１５ｃ  バンド
１５ｄ  被係止手段
１６  肩ベルト
１６ａ  幅広ベルト
１６ｂ  延長ベルト
【図１】
0003224046.tif 000003
【図２】
0003224046.tif 000004
【図３】
0003224046.tif 000005
【図４】
0003224046.tif 000006
【図５】
0003224046.tif 000007
【図６】
0003224046.tif 000008